(57)【特許請求の範囲】
【請求項１】
水栓本体の後部にステーを設けるとともに、水栓本体の上面を覆う上面カバーの後端縁をステー上に支持するようにした水栓において、
前記ステーの上縁には前記上面カバーの上面の高さを設定するためのスペーサを設け、そのスペーサの高さ位置を変更するための高さ変更構造を設け、
高さ変更構造として、スペーサに深さの異なる溝を設け、前記スペーサに設けられたいずれかの溝を選択してステーを嵌め込むか、又は、ステーに深さの異なる溝を設け、前記ステーに設けられたいずれかの溝を選択してスペーサを嵌め込むことにより、スペーサの高さ位置を変更できるように構成したことを特徴とする水栓。
【請求項２】
高さ変更構造として、スペーサの上下位置に深さの異なる溝を設け、前記スペーサの取り付け位置を上下反転させて、いずれかの溝を選択することにより、スペーサの高さ位置を変更できるように構成したことを特徴とする請求項１に記載の水栓。
【請求項３】
前記水栓本体の両側面を覆う側面カバーを設け、この側面カバーと前記スペーサまたは上面カバーとの間には、側面カバーの外側への移動を阻止するための移動阻止構造を設けたことを特徴とする請求項１または２に記載の水栓。
【発明の詳細な説明】
【技術分野】
【０００１】
この発明は、例えば浴室等の壁面に取り付けて使用される水栓に関するものである。
【背景技術】
【０００２】
従来、この種の水栓としては、例えば特許文献１に開示されるような構成が提案されている。この従来構成においては、水栓本体の後側上部にステーが取り付けられている。水栓本体の上方及び左右両側方には、上面カバー及び一対の側面カバーが配置されている。そして、上面カバーの後端縁がステー上に支持されて、上面カバーの上面が所定の高さ位置に設定保持されるようになっている。
【先行技術文献】
【特許文献】
【０００３】
【特許文献１】特開２０１０−２４８７１３号公報
【発明の概要】
【発明が解決しようとする課題】
【０００４】
ところで、この種の水栓においては、製品の仕様によって、前記上面カバーとして金属製のクロームメッキ製品を使用する場合と、合成樹脂製のものを使用する場合とがある。金属製の上面カバーでは、カバーの大重量化を避けるため、薄い板材が使用される。これに対して、合成樹脂製の上面カバーでは、カバー全体の剛性を高めるために、比較的厚い板厚のものが使用される。
【０００５】
しかしながら、前記従来構成の水栓において、このように金属製の上面カバーと合成樹脂製の上面カバーとを使い分けすると、上面カバーの板厚が異なるため、水栓本体の後部に取り付けられたステー上に上面カバーを支持した場合、上面カバーの上面の高さが変化するという問題が生じた。このような問題に対処するためには、上面カバーの支持高さ位置が異なった複数種のステーを用意して、それらのステーを金属製の上面カバーと合成樹脂製の上面カバーとにおいて使い分ける構成が考えられる。しかし、このように構成した場合は、ステーとして２種類のものが必要となって構造が複雑となり、しかも、誤組み付けのおそれもある。
【０００６】
この発明は、このような従来の技術に存在する問題点に着目してなされたものである。その目的は、上面カバーを板厚が異なったものと変更する場合、ステーを支持高さ位置が異なったものと変更することなく対応することができて、製造が簡単でコストの低減を図ることができる水栓を提供することにある。
【課題を解決するための手段】
【０００７】
上記の目的を達成するために、この発明は、水栓本体の後部にステーを設けるとともに、水栓本体の上面を覆う上面カバーの後端縁をステー上に支持するようにした水栓において、
前記ステーの上縁には前記上面カバーの上面の高さを設定するためのスペーサを設け、そのスペーサの高さ位置を変更するための高さ変更構造を設け、高さ変更構造として、スペーサに深さの異なる溝を設け、前記スペーサに設けられたいずれかの溝を選択してステーを嵌め込むか、又は、ステーに深さの異なる溝を設け、前記ステーに設けられたいずれかの溝を選択してスペーサを嵌め込むことにより、スペーサの高さ位置を変更できるように構成したことを特徴としている。
【０００８】
従って、この発明の水栓において、上面カバーとして例えば金属製と合成樹脂製のように板厚が異なったものを使い分けする場合には、ステーとして支持高さ位置が異なったものを用意して使い分けする必要がなく、同一のステーを用いることができる。そして、スペーサの高さ位置を変更することにより、上面カバーの上面の高さを同一に設定することができる。よって、構成部品の製造が簡単であるとともに、製造コストの低減を図ることができる。
【０００９】
前記の構成において、高さ変更構造として、スペーサの上下位置に深さの異なる溝を設け、前記スペーサの取り付け位置を上下反転させて、いずれかの溝を選択することにより、スペーサの高さ位置を変更できるようにしてもよい。
【００１０】
前記の構成において、前記水栓本体の両側面を覆う側面カバーを設け、この側面カバーと前記スペーサまたは上面カバーとの間には、側面カバーの外側への移動を阻止するための移動阻止構造を設けるとよい。
【発明の効果】
【００１１】
以上のように、この発明によれば、上面カバーを板厚が異なったものと変更する場合、ステーを支持高さ位置が異なったものと変更することなく対応することができて、製造が簡単でコストの低減を図ることができるという効果を発揮する。
【図面の簡単な説明】
【００１２】
【図１】一実施形態の水栓を示す断面図。
【図２】図１の水栓の水栓本体及びステーを示す分解斜視図。
【図３】同水栓のステー及びスペーサを示す分解斜視図。
【図４】同水栓における合成樹脂製の上面カバーを示す分解斜視図。
【図５】合成樹脂製の上面カバーの装着時に用いられる側面カバーを示す斜視図。
【図６】図１の一部を拡大して示す部分断面図。
【図７】（ａ）は側面カバーと上面カバーとの間の移動阻止構造を示す要部分解斜視図。（ｂ）は同移動阻止構造の部分平断面図。
【図８】金属製の上面カバーを装着する際のステーに対するスペーサの取り付け状態を示す分解斜視図。
【図９】金属製の上面カバーを示す斜視図。
【図１０】金属製の上面カバーの装着時に用いられる側面カバーを示す斜視図。
【図１１】図１０の側面カバーとスペーサとの間の移動阻止構造を示す要部分解斜視図。
【図１２】ステー上のスペーサに対する金属製の上面カバーの支持状態を示す部分断面図。
【図１３】ステーに対する金属製の上面カバーの掛止状態を示す部分断面図。
【発明を実施するための形態】
【００１３】
以下に、この発明を具体化した水栓の一実施形態を図面に従って説明する。
図１及び図２に示すように、この実施形態の水栓は、例えば浴室等の壁面Ｗに取り付けられる水栓本体２１を備えている。水栓本体２１の後部両側には、図示しない給水管及び給湯管に接続される給水ジョイント２２及び給湯ジョイント２３が突設されている。水栓本体２１の下部中央には、カラン吐水管２５を取り付けるためのカラン用吐水口２４が設けられている。水栓本体２１の後部中央には、シャワーホース２７を取り付けるためのシャワー用吐水口２６が設けられている。水栓本体２１の右端部には、カラン用吐水口２４とシャワー用吐水口２６とのいずれかに吐水を切り替えるとともに、その吐水流量を調節するための吐水切替及び流量調節ハンドル２８が設けられている。水栓本体２１の左端部には、カラン用吐水口２４またはシャワー用吐水口２６からの吐水の温度を調節するための温度調節ハンドル２９が設けられている。
【００１４】
前記水栓本体２１における給水ジョイント２２及び給湯ジョイント２３の後部両側には、挿通孔３０ａを有する各一対の第１取付座部３０がそれぞれ突出形成されている。そして、これらの第１取付座部３０の前面側から挿通孔３０ａを介して浴室等の壁面Ｗにネジ３１が螺合されることにより、水栓本体２１が壁面Ｗに固定される。給水ジョイント２２及び給湯ジョイント２３の後部上端には、後述するステー３６を取り付けるためのネジ孔３２ａを有する第２取付座部３２がそれぞれ突出形成されている。水栓本体２１の下面両側には、後述する上面カバー５７，７２を固定するための一対のネジ孔３３が形成されている。
【００１５】
前記水栓本体２１の給水ジョイント２２及び給湯ジョイント２３の後部間には、金属板よりなるステー３６が架設されている。ステー３６の後面両側部には、一対の挿通孔３７が形成されている。そして、ステー３６の後面側から各挿通孔３７を介して水栓本体２１の第２取付座部３２のネジ孔３２ａにネジ３８が螺合されることにより、ステー３６が水栓本体２１の後部に固定されている。ステー３６の両側には、前記シャワーホース２７を選択的に係止保持するための一対のフック部３９が形成されている。
【００１６】
前記ステー３６の後面両側部には、一対の掛止孔４０が形成されている。各掛止孔４０には、大径円形状の挿通部４０ａと、その挿通部４０ａから上方に延びる幅狭溝状の掛止部４０ｂとが設けられている。各掛止孔４０に対応して浴室等の壁面Ｗには、一対の掛止ピン４１が埋設されている。各掛止ピン４１の頭部には、前後一対の大径部４１ａ，４１ｂと、両大径部４１ａ，４１ｂ間に位置する小径部４１ｃとが形成されている。そして、水栓本体２１を壁面Ｗにネジ止め固定する際に、ステー３６の掛止孔４０の挿通部４０ａを掛止ピン４１の大径部４１ａに挿通した後、水栓本体２１及びステー３６を下方に移動させることにより、掛止孔４０の掛止部４０ｂが掛止ピン４１の小径部４１ｃに係合される。この係合により、水栓本体２１が壁面Ｗ上の所定の取付位置に掛止保持されて、ネジ３１による壁面Ｗへの水栓本体２１の固定作業を容易に行うことができる。
【００１７】
図２及び図３に示すように、前記ステー３６の上縁部の両側には、後述するスペーサ４７を取り付けるための一対のスペーサ取付部４２が形成されている。ステー３６の上縁部の中央には、後述する金属製の第２上面カバー７２の後端縁を係止するための係止溝４３ａを有する上面カバー係止部４３が形成されている。ステー３６の両側端には後述する側面カバー６５，７７の両側後端縁を係止するための各一対の側面カバー係止部４４が形成されている。
【００１８】
図３及び図６に示すように、前記ステー３６のスペーサ取付部４２には、合成樹脂製のスペーサ４７が高さ位置を変更可能に取り付けられている。このスペーサ４７は、左右方向へ平行に延びる前後一対の第１及び第２側板４８Ａ，４８Ｂと、両側板４８Ａ，４８Ｂ間に架設された連結板４９とにより、断面ほぼＨ形をなすように形成されている。両側板４８Ａ，４８Ｂ間において連結板４９の下側及び上側には、深さＤ１の深い第１嵌合溝５０Ａ及び深さＤ２の浅い第２嵌合溝５０Ｂが形成されている。そして、スペーサ４７の取り付け位置を上下反転させて、図３及び図６に示すように、第１嵌合溝５０Ａをステー３６のスペーサ取付部４２に嵌合させ、または図８及び図１２に示すように、第２嵌合溝５０Ｂをスペーサ取付部４２に嵌合させて、スペーサ４７をステー３６に異なる高さで取り付けるようになっている。第１嵌合溝５０Ａ及び第２嵌合溝５０Ｂは高さ変更構造を構成している。
【００１９】
図３に示すように、前記スペーサ４７の第１側板４８Ａ及び連結板４９の中央部には、ステー３６上の上面カバー係止部４３に対応する切除部５１が形成されている。スペーサ４７の第２側板４８Ｂにおける第１嵌合溝５０Ａ側の端縁中央部には、切除部５１に対応する切欠凹部５２が形成されている。第２側板４８Ｂにおける第２嵌合溝５０Ｂ側の端縁部には、庇部５３が後部外側に向かって突出形成されている。庇部５３の両側縁には、後述する金属製の第２上面カバー７２と対応する第２側面カバー７７の後端縁を係止するための一対の係止爪部５４が前方に向かって形成されている。
【００２０】
図１及び図６に示すように、前記スペーサ４７が深い深さＤ１の第１嵌合溝５０Ａを下側にしてステー３６のスペーサ取付部４２に取り付けられた状態において、水栓本体２１の上面及び前面には、合成樹脂製の第１上面カバー５７が被覆装着される。この第１上面カバー５７は、全体の剛性を確保するために、板厚Ｔ１が第２上面カバー７２の板厚Ｔ２（図１２参照）よりも厚くなるように構成されている。図４に示すように、第１上面カバー５７の上壁５７ａの内面には、複数の補強リブ５８が前後方向へ平行に延びるように形成されている。第１上面カバー５７の上壁５７ａの内面後端部には、その第１上面カバー５７の後端縁がスペーサ４７上に支持された状態で、スペーサ４７の第２嵌合溝５０Ｂに係合可能な一対の突条５９が形成されている。
【００２１】
図１及び図４に示すように、前記第１上面カバー５７の前壁５７ｂの後端縁には、水栓本体２１の下面のネジ孔３３に対応する一対の挿通孔６０が形成されている。そして、第１上面カバー５７の下方から各挿通孔６０を介してネジ孔３３にネジ６１が螺合されることにより、第１上面カバー５７が水栓本体２１に対して固定される。第１上面カバー５７の上壁５７ａの内面両側縁には、後述する第１側面カバー６５の両側上端縁を係止するための一対の係止爪部６２が後方に向かって突出形成されている。
【００２２】
図１及び図５に示すように、前記合成樹脂製の第１上面カバー５７の装着時において、水栓本体２１の両側面には、合成樹脂製の第１側面カバー６５が被覆装着される。この第１側面カバー６５は、左右一対の側壁６５ａと、両側壁６５ａの下端部間を連結する連結壁６５ｂとより構成されている。第１側面カバー６５の両側壁６５ａの内面後端縁には、ステー３６の両側端の側面カバー係止部４４に係合可能な上向き及び下向きの上下一対の係合部６６Ａ，６６Ｂが形成されている。そして、各係合部６６Ａ，６６Ｂが側面カバー係止部４４に係合されることにより、第１側面カバー６５の両側壁６５ａの後端縁が水栓本体２１に対して上下方向及び前後方向へ移動しないように位置決め保持される。
【００２３】
図５に示すように、前記第１側面カバー６５の連結壁６５ｂの下面前縁には、第１上面カバー５７の前壁５７ｂの後端縁に係合可能な段差状支持部６７が形成されている。そして、この段差状支持部６７に第１上面カバー５７の前壁５７ｂの後端縁が係合された状態で、ネジ６１によって第１上面カバー５７が水栓本体２１に固定されることにより、第１側面カバー６５の前縁部が水栓本体２１に対して止着される。
【００２４】
図５及び図７に示すように、前記第１側面カバー６５の両側壁６５ａの内面上端縁には、第１上面カバー５７の両側の係止爪部６２（図４参照）に係合可能な各一対の係合爪部６８が前方に向かって突出形成されている。そして、水栓本体２１上に第１側面カバー６５及び第１上面カバー５７が装着された状態で、各係合爪部６８が係止爪部６２に係合されることにより、第１側面カバー６５の外側方への移動及び第１上面カバー５７の上方への移動が阻止されるようになっている。すなわち、この第１側面カバー６５の係合爪部６８と第１上面カバー５７の係止爪部６２とによって、第１移動阻止構造６９が構成されている。
【００２５】
図８、図９及び図１２に示すように、水栓の異なった仕様においては、水栓本体２１の上面及び前面に対して、前記合成樹脂製の第１上面カバー５７に代えて、金属製の第２上面カバー７２が被覆装着される。この第２上面カバー７２は、全体の軽量化を図るために、板厚Ｔ２が第１上面カバー５７の板厚Ｔ１よりも薄くなるように構成されている。また、この第２上面カバー７２の装着時には、スペーサ４７が第１上面カバー５７の場合と取り付け位置を上下反転させて、浅い深さＤ２の第２嵌合溝５０Ｂを下側にしてステー３６のスペーサ取付部４２に取り付けられる。これにより、スペーサ４７の上端面の位置が深い深さの第１嵌合溝５０Ａがスペーサ取付部４２に取り付けられた場合よりも高く位置する。従って、合成樹脂製の第１上面カバー５７と金属製の第２上面カバー７２との装着状態において、それらの上面カバー５７，７２の板厚Ｔ１，Ｔ２が異なっていても、両上面カバー５７，７２の上面の高さ位置が同一に設定される。また、浅い深さＤ２の第２嵌合溝５０Ｂを下側にしてステー３６のスペーサ取付部４２に取り付けられることにより、図１１に示すように、係止爪部５４が後ろ向きになる。
【００２６】
図９及び図１３に示すように、前記第２上面カバー７２の上壁７２ａの後端中央部には、ステー３６上の上面カバー係止部４３の係止溝４３ａに係合可能な係合突部７３が折曲形成されている。そして、第２上面カバー７２の後端縁がスペーサ４７上に支持された状態で、この係合突部７３が係止溝４３ａに係合されることにより、第２上面カバー７２の後端縁が上方へ移動しないように係止保持される。第２上面カバー７２の前壁７２ｂの後端縁には、水栓本体２１の下面のネジ孔３３に対応する一対の挿通孔７４が形成されている。
【００２７】
図１０に示すように、前記金属製の第２上面カバー７２の装着に際して、水栓本体２１の両側面には、合成樹脂製の第２側面カバー７７が被覆装着される。この第２側面カバー７７は、左右一対の側壁７７ａと両側壁７７ａの下端部間を連結する連結壁７７ｂより構成されている。第２側面カバー７７の両側壁７７ａの内面後端縁には、ステー３６の両側端の側面カバー係止部４４に係合可能な上向き及び下向きの上下一対の係合部７８Ａ，７８Ｂが形成されている。そして、各係合部７８Ａ，７８Ｂが側面カバー係止部４４に係合されることにより、第２側面カバー７７の両側壁７７ａの後端縁が水栓本体２１に対して上下方向及び前後方向へ移動しないように位置決め保持される。
【００２８】
前記第２側面カバー７７の連結壁７７ｂの下面前縁には、第２上面カバー７２の前壁７２ｂの後端縁に係合可能な段差状支持部７９が形成されている。第２側面カバー７７の連結壁７７ｂの前縁には、第２上面カバー７２の挿通孔７４に対応する一対の長孔状の挿通孔８０が形成されている。そして、段差状支持部７９に第２上面カバー７２の前壁７２ｂの後端縁が係合された状態で、第２上面カバー７２及び第２側面カバー７７の挿通孔７４，８０を介して、水栓本体２１のネジ孔３３に前記ネジ６１が螺合されることにより、第２上面カバー７２及び第２側面カバー７７が水栓本体２１に対して同時に固定される。
【００２９】
図１０に示すように、前記第２側面カバー７７の両側壁７７ａの上端縁には、第２上面カバー７２の上壁７２ａの両側端を支持するための支持部８１が内側に向かって突出形成されている。図１１に示すように、第２側面カバー７７における各上側係合部７８Ａの前壁部には、スペーサ４７の両側の係止爪部５４に係合可能な一対の係合爪部８２が上方に指向するように切欠き形成されている。そして、水栓本体２１に第２側面カバー７７が装着された状態で、各係合爪部８２に係止爪部５４が係合されることにより、第２側面カバー７７の外側方への移動が阻止されるようになっている。すなわち、この第２側面カバー７７の係合爪部８２とスペーサ４７の係止爪部５４とによって、第２移動阻止構造８３が構成されている。
【００３０】
次に、前記のように構成された水栓の組み付け方法について説明する。
この水栓の組み付け時には、まず図１及び図２に示すように、水栓本体２１の後部にステー３６が一対のネジ３８により取り付けられる。次に、ステー３６の掛止孔４０が壁面Ｗ上の掛止ピン４１に挿通掛止されることにより、水栓本体２１及びステー３６が壁面Ｗの所定取り付け箇所に吊下支持される。この状態で、水栓本体２１が複数のネジ３１により、壁面Ｗに対して固定される。
【００３１】
ところで、水栓本体２１に合成樹脂製の第１上面カバー５７を装着する場合には、図３及び図６に示すように、ステー３６のスペーサ取付部４２上にスペーサ４７が、深い深さＤ１の第１嵌合溝５０Ａを下側にするとともに庇部５３を後側にした状態で取り付けられる。次に、水栓本体２１の両側に下方側から第１側面カバー６５が被覆装着される。そして、図５に示すように、側面カバー６５の係合部６６Ａ，６６Ｂがステー３６の側面カバー係止部４４に係合されることにより、第１側面カバー６５の両側壁６５ａが上下方向及び前後方向へ移動しないように位置決め保持される。この状態で、第１側面カバー６５の両側壁６５ａの上端縁がスペーサ４７の上端縁とほぼ同一高さ位置に配置される。
【００３２】
続いて、水栓本体２１の上面及び前面に、合成樹脂製の第１上面カバー５７が被覆装着される。そして、第１移動阻止構造６９を構成する第１上面カバー５７の係止爪部６２が第１側面カバー６５の係合爪部６８に係合されることにより、第１上面カバー５７の上方への移動及び第１側面カバー６５の外側方及び内側方への移動が阻止される。この状態で、図１及び図５に示すように、第１上面カバー５７の前壁５７ｂの後端縁が一対のネジ６１により水栓本体２１に対して固定される。
【００３３】
このとき、図６に示すように、スペーサ４７の庇部５３の後端縁が壁面Ｗに当接された状態で、第１上面カバー５７の上壁５７ａの後端部がスペーサ４７上に支持されている。このため、合成樹脂製の第１上面カバー５７の成形上の寸法誤差により、第１上面カバー５７の上壁５７ａの前後寸法が短くなって、その上壁５７ａの後端縁と壁面Ｗとの間に隙間が生じた場合でも、その隙間をスペーサ４７の庇部５３により塞ぐことができ、良好な外観を得ることができる。
【００３４】
一方、水栓本体２１に金属製の第２上面カバー７２を装着する場合には、図８及び図１２に示すように、水栓本体２１の両側に下方側から第２側面カバー７７が被覆装着される。また、ステー３６のスペーサ取付部４２上にスペーサ４７が、浅い深さＤ２の第２嵌合溝５０Ｂを下側にするとともに庇部５３を前側にした状態で取り付けられる。
【００３５】
そして、図１０に示すように、第２側面カバー７７の係合部７８Ａ，７８Ｂにステー３６の側面カバー係止部４４が係合されることにより、第２側面カバー７７の両側壁７７ａが上下方向及び前後方向へ移動しないように位置決め保持される。この状態で、第２側面カバー７７の両側壁７７ａの上端縁がスペーサ４７の上端縁とほぼ同一高さ位置に配置される。また、図１１に示すように、第２移動阻止構造８３を構成する第２側面カバー７７の係合爪部８２がスペーサ４７の係止爪部５４に係合されることにより、第２側面カバー７７の外側方及び内側方への移動が阻止される。
【００３６】
続いて、水栓本体２１の上面及び前面に、金属製の第２上面カバー７２が被覆装着される。そして、図１３に示すように、第２上面カバー７２の後端縁がスペーサ４７上に支持された状態で、第２上面カバー７２の後端の係合突部７３がステー３６上の上面カバー係止部４３の係止溝４３ａに係合されることにより、第２上面カバー７２の後端縁が上方へ移動しないように係止保持される。この状態で、図１０に示すように、第２上面カバー７２の前壁７２ｂの後端縁及び第２側面カバー７７の連結壁７７ｂの前端縁が、一対のネジ６１により水栓本体２１に対して固定される。
【００３７】
このとき、図１２及び図１３に示すように、第２上面カバー７２の後端の係合突部７３がステー３６の係止溝４３ａの内縁部に弾性接触されている。このため、この弾性接触の反力により、第２上面カバー７２の上壁７２ａの後端縁が壁面Ｗに当接されている。従って、第２上面カバー７２の係合突部７３がステー３６の係止溝４３ａに対する係合状態から後方側に離脱するおそれはなく、しかも、第２上面カバー７２と壁面Ｗとの間に隙間が形成されることを防止できて、良好な外観を維持できる。
【００３８】
このように、合成樹脂製の第１上面カバー５７の装着時と、金属製の第２上面カバー７２の装着時とにおいては、ステー３６のスペーサ取付部４２に対するスペーサ４７の取り付け位置が上下反転されることにより、スペーサ４７の高さ位置が調整変更される。このため、両上面カバー５７，７２間で板厚Ｔ１，Ｔ２が異なっていても、それらの上面カバー５７，７２の装着状態において、両上面カバー５７，７２の上面の高さ位置が同一に設定される。
【００３９】
従って、この実施形態によれば、以下のような効果を得ることができる。
（１）  この水栓においては、水栓本体２１の後部にステー３６が設けられるとともに、水栓本体２１の上面を覆う上面カバー５７，７２の後端縁がステー３６上に支持されるようになっている。そして、ステー３６の上縁には、上面カバー５７，７２の上面の高さを設定するためのスペーサ４７が高さ位置の変更可能に設けられている。
【００４０】
このため、上面カバー５７，７２として例えば金属製と合成樹脂製のように板厚が異なったものを使い分けする場合には、ステー３６として支持高さ位置が異なったものを用意して使い分けする必要がなく、同一のステー３６を用いることができる。そして、スペーサ４７の高さ位置を変更することにより、上面カバー５７，７２の上面の高さを同一に設定することができる。よって、部品点数が少なくなって製造が簡単になり、製造コストの低減を図ることができる。
【００４１】
（２）  この水栓においては、前記ステー３６の上縁に対するスペーサ４７の取り付け位置を上下反転させることにより、スペーサ４７の高さ位置を変更できるように構成されている。このため、スペーサ４７の取り付け位置を上下反転させるという簡単な変換によって、スペーサ４７の高さ位置を容易に変更することができる。
【００４２】
（３）  この水栓においては、前記水栓本体２１の両側面を覆う側面カバー６５，７７が設けられ、この側面カバー６５，７７とスペーサ４７または上面カバー５７との間には、側面カバー６５，７７の外側への移動を阻止するための移動阻止構造６９，８３が設けられている。このため、上面カバー５７，７２及び側面カバー６５，７７の装着状態において、移動阻止構造６９，８３により側面カバー６５，７７が外側へ移動するおそれを阻止することができて、側面カバー６５，７７が水栓本体２１の両側から外れたり、上面カバー５７，７２と側面カバー６５，７７とが分離したりすることを防止できる。
【００４３】
（変更例）
なお、この実施形態は、次のように変更して具体化することも可能である。
・  スペーサ４７の取り付け位置を上下反転させることなく、ステー３６とスペーサ４７との間に介装部材を介在させ、または介在させないことにより、スペーサ４７の高さ位置の変更を行うように構成すること。
【００４４】
・  高さ変更部として、ステー３６側に、深さが異なり、スペーサ４７が選択して嵌め込まれる２つの溝を設け、用いられる上面カバー５７，７２に応じて、スペーサ４７をどちらかの溝に嵌め込むことより、スペーサ４７の上面の高さを調節すること。
【符号の説明】
【００４５】
２１…水栓本体、２４…カラン用吐水口、２６…シャワー用吐水口、３０…第１取付座部、３１…ネジ、３２…第２取付座部、３６…ステー、３８…ネジ、４２…スペーサ取付部、４３…上面カバー係止部、４４…側面カバー係止部、４７…スペーサ、４８Ａ…第１側板、４８Ｂ…第２側板、４９…連結板、５０Ａ…第１嵌合溝、５０Ｂ…第２嵌合溝、５４…係止爪部、５７…合成樹脂製の第１上面カバー、６１…ネジ、６２…係止爪部、６５…第１側面カバー、６６Ａ，６６Ｂ…係合部、６８…係合爪部、６９…第１移動阻止構造、７２…金属製の第２上面カバー、７３…係合突部、７７…第２側面カバー、７８Ａ，７８Ｂ…係合部、８２…係合爪部、８３…第２移動阻止構造、Ｗ…壁面、Ｄ１，Ｄ２…深さ、Ｔ１，Ｔ２…板厚。
【図１】
0005956212.tif 000002
【図２】
0005956212.tif 000003
【図３】
0005956212.tif 000004
【図４】
0005956212.tif 000005
【図５】
0005956212.tif 000006
【図６】
0005956212.tif 000007
【図７】
0005956212.tif 000008
【図８】
0005956212.tif 000009
【図９】
0005956212.tif 000010
【図１０】
0005956212.tif 000011
【図１１】
0005956212.tif 000012
【図１２】
0005956212.tif 000013
【図１３】
0005956212.tif 000014